(57)【要約】【課題】アンテナの質量や製造コストを抑えつつ、垂直偏波成分の発生を抑制すること。【解決手段】スロットアンテナ１００は、アンテナ外板１０と、導波管１２と、フレア板１４と、レドーム板１６と、支持部２６を含む。導波管１２は、導波路が形成された直方体状の形状を有する。また、導波管１２は、直方体の面のうち導波路と平行な面に、電波を放射すべきスロット１８が設けられる。支持部２６は、導波管１２を埋設しながら支持する部材であって、フレア板１４と接続される。フレア板１４は、スロット１８から放射される電波の方向に向かって拡開し、アンテナ外板１０に接続される。レドーム板１６は、フレア板１４の開口部に設けられ、アンテナ外板１０に接続される。アンテナ外板１０は、導波管１２と、フレア板１４と、レドーム板１６と、支持部２６とを覆う外枠である。【選択図】図２
2007228435.tif 000002
【特許請求の範囲】
【請求項１】
電波を放射するスロットをＥ面部分の一方に有する導波管と前記導波管を支持する支持部とを備えるスロットアンテナであって、
前記支持部は、
前記導波管のＨ面部分にそれぞれ一定間隔で対向して配置される平行部分と、
前記平行部分と垂直に設けられる底面部分と、
前記底面部分の中央部に配置され、前記導波管のＥ面部分の他方を支持する支持部とを有し、
前記支持部は、前記スロットから放射される第１電波のうちの垂直偏波成分の振幅と前記底面部分から放射される第２電波の振幅の合計とが等しくなるように、前記平行部分とその平行部分と向かい合った前記導波管のＨ面部分の一方の面との間の距離が調節され、さらに、第１電波のうちの垂直偏波成分と第２電波との位相が互いに反転した関係を有しながら、第２電波同士の位相が等しくなるように、前記底面部分と前記スロットが設けられたＥ面との間の距離が調節されていることを特徴とするスロットアンテナ。
【請求項２】
電波を放射するスロットをＥ面部分の一方に有する導波管と前記導波管を支持する支持部とを備えるスロットアンテナであって、
前記支持部は、
前記導波管のＨ面部分にそれぞれ一定間隔で対向して配置される平行部分と、
前記平行部分と垂直に設けられる底面部分と、
前記底面部分の中央部に配置され、前記平行部分と前記底面部分と前記導波管とで溝を形成するように、前記導波管のＥ面部分の他方を支持する支持部とを有し、
前記支持部は、前記底面部分と前記スロットが設けられたＥ面との間の距離を前記電波の波長の１／４の長さに調節することを特徴とするスロットアンテナ。
【発明の詳細な説明】
【技術分野】
【０００１】
本発明は、アンテナ技術に関し、特に導波管のＥ面の一方に電波を放射するスロットが設けられたスロットアンテナに関する。
【背景技術】
【０００２】
従来、レーダ機器に使用される導波管アンテナとして、電波の放射面にスロットを設けたスロットアンテナが知られている。ここで、スロットアンテナにおける導波管の狭壁面に切られたスロットから放射される電波には、水平偏波成分だけでなく、垂直偏波成分も含まれている。一般的に、港湾監視レーダ等では、探知波として水平偏波成分が用いられるため、垂直偏波成分は余分な雑音成分となり、この成分を除去する必要があった。垂直偏波成分を除去する技術として、垂直偏波成分を抑圧する格子をスロットの前面に配置することが提案されていた（たとえば、特許文献１参照）。また、スロット導波管の放射面の側面に位置する管壁に接続したスタブの調整を行なうことが提案されていた（たとえば、特許文献２参照）。
【特許文献１】特開２００４−３２０５８３号公報
【特許文献２】特開平０５−０９５２２２号公報
【発明の開示】
【発明が解決しようとする課題】
【０００３】
一般的に、アンテナの質量や製造コストを抑えつつ、垂直偏波成分の発生を抑制することが望ましい。
【０００４】
本発明はこうした状況に鑑みてなされたものであり、その目的は、垂直偏波成分の発生を抑制できるスロットアンテナを提供することにある。
【課題を解決するための手段】
【０００５】
上記課題を解決するために、本発明のある態様のスロットアンテナは、電波を放射するスロットをＥ面部分の一方に有する導波管と導波管を支持する支持部とを備えるスロットアンテナであって、支持部は、導波管のＨ面部分にそれぞれ一定間隔で対向して配置される平行部分と、平行部分と垂直に設けられる底面部分と、底面部分の中央部に配置され、導波管のＥ面部分の他方を支持する支持部とを有する。支持部は、スロットから放射される第１電波のうちの垂直偏波成分の振幅と底面部分から放射される第２電波の振幅の合計とが等しくなるように、平行部分とその平行部分と向かい合った導波管のＨ面部分の一方の面との間の距離が調節され、さらに、第１電波のうちの垂直偏波成分と第２電波との位相が互いに反転した関係を有しながら、第２電波同士の位相が等しくなるように、底面部分とスロットが設けられたＥ面との間の距離が調節されている。
【０００６】
この態様によると、第２電波の振幅と位相を第１電波のうちの垂直偏波成分を打ち消すような特性に調整することによって、第１電波のうちの垂直偏波成分を抑制できる。平行部分とその平行部分と向かい合った導波管のＨ面部分の一方の面との間の距離を調節することによって、第２電波の振幅特性を調整できる。また、底面部分とスロットが設けられたＥ面との間の距離を調節することによって、第２電波の位相特性を調整できる。
【０００７】
本発明の別の態様もまた、スロットアンテナである。このスロットアンテナは、電波を放射するスロットをＥ面部分の一方に有する導波管と導波管を支持する支持部とを備えるスロットアンテナであって、支持部は、導波管のＨ面部分にそれぞれ一定間隔で対向して配置される平行部分と、平行部分と垂直に設けられる底面部分と、底面部分の中央部に配置され、平行部分と底面部分と導波管とで溝を形成するように、導波管のＥ面部分の他方を支持する支持部とを有する。支持部は、底面部分とスロットが設けられたＥ面との間の距離を電波の波長の１／４の長さに調節する。
【０００８】
この態様によると、溝のうち底面部分とスロットが設けられたＥ面との間の距離を電波の波長の１／４の長さに調節することによって、その溝の開口面のインピーダンスを無限大とすることができる。これにより、導波管のＥ面部分に発生する電流は、溝の内部に存在しないこととなる。いいかえると、溝をチョークとして働かせることによって、溝を構成する面のうちの導波管の面における、垂直偏波成分の波源となる電流の発生を抑制できる。
【０００９】
それぞれの壁面に向かい合った導波管の側面と両壁面との間の幅であるｗ１とｗ２は、同一の幅ｗに調節されてもよい。この態様によると、両壁面とそれぞれの壁面に向かい合った導波管の面との間における２つの幅を同一の幅ｗに調節することによって、設計を容易にできる。
【００１０】
なお、以上の構成要素の任意の組合せ、本発明の表現を方法、装置、システムなどの間で変換したものもまた、本発明の態様として有効である。
【発明の効果】
【００１１】
本発明によれば、垂直偏波成分の発生を抑制できる。
【発明を実施するための最良の形態】
【００１２】
（実施形態１）
本発明の実施形態１を具体的に説明する前に、まず概要を述べる。本発明の実施形態１は、電波を放射すべきスロットが設けられた導波管を備えたスロットアンテナに関する。スロットアンテナは、港湾監視レーダ等に用いられ、目的物に対して電波を放射し、反射された電波を受信することによって、目的物までの距離などを測定する。測定には、目的物から反射された電波のうち、水平偏波成分についての電波が用いられる。
【００１３】
ここで、スロットが設けられた導波管について説明する。図１（ａ）は、導波管１２の斜視図である。導波管１２は、導波路の周囲のいずれかの面に、電波を放射すべきスロット１８が設けられる。一般的に、スロット１８が設けられた面とその面に対向する面とをＥ面という。また、Ｅ面の側面であって、導波管１２を構成する面のうち、導波路が横切る面（以下、「導波面２２」と表記する）以外の面をＨ面という。以下においては、Ｅ面のうち、スロット１８が設けられた面を「スロット面２０」と表記し、スロット面２０でないＥ面を「対向面」と表記する。
【００１４】
スロットアンテナは、その構造上、水平偏波成分だけでなく、垂直偏波成分も含まれる電波を放射する。放射される電波に含まれた垂直偏波成分は、前述のごとく、目的物に反射された電波を受信する際には、水平偏波成分に対し余分な雑音成分となり、また、水平偏波成分の利得を低減させることとなるため、この成分を除去する必要がある。
【００１５】
図１（ｂ）は、図１（ａ）の導波管１２のスロット面２０の一部を示す正面図である。導波管１２に設けられたスロット１８においては、図示するごとく電界が発生する。スロット面２０において発生した電界のベクトルは、垂直成分と水平成分とに分解できる。いいかえると、スロット面２０上において、垂直成分としての電流Ｉ１と、水平成分としての電流Ｉ２とが発生する。ここで、垂直成分としての電流Ｉ１は、導波管１２のＥ面とＨ面を周回する電流となり、これに起因して、スロット１８から放射される電波は、垂直偏波成分を含むこととなる。図１（ｃ）は、図１（ａ）の導波管１２の導波面２２を示す断面図である。ここでは、導波面２２において、図中左側をスロット面２０としている。図示するごとく、時計回りに電流Ｉ１が発生し、垂直偏波を誘因することとなる。
【００１６】
一般的に、スロット１８が設けられた導波管を用いたアンテナ（以下、「スロットアンテナ」と表記する。）においては、垂直偏波成分抑圧格子をスロットアンテナからの電波の放射面に設置することによって、垂直偏波成分を抑圧していた。垂直偏波成分抑圧格子は、スロット放射面の前面に設置され、除去したい偏波方向と同方向に配置された金属製の格子を含む。それぞれの格子は、電波伝搬波長の１／２の長さ以下の間隔で並列に配置される。これにより、スロットから放射された電波のうち、除去したい偏波成分の放射を抑圧する。しかしながら、垂直偏波抑圧格子を使用するとアンテナ全体の質量が大きくなる。また、垂直偏波抑圧格子の寸法等がアンテナ特性に大きく影響するため、製造時に高い寸法精度が求められ、コスト増大の要因となっていた。
【００１７】
そこで、本実施形態に係るスロットアンテナにおいては、支持部の一部に導波管を埋設することによって溝を作り、その溝に対し、導波管の周囲に発生しうる電流Ｉ１であって、垂直偏波成分の波源となる電流Ｉ１を逃がすことによって、スロットから放射される電波に含まれる垂直偏波成分の発生を抑制する。さらに、溝のサイズを調整することによって、溝の開口面から放射される電波とスロットから放射される電波のうちの垂直偏波成分とが互いに打ち消し合うようにする。このような態様をとることによって、アンテナの質量や製造コストを抑えつつ、垂直偏波成分の発生を効率的に抑制できる。
【００１８】
図２（ａ）は、本発明の実施形態１にかかるスロットアンテナ１００の構成例を示す斜視図である。スロットアンテナ１００は、アンテナ外板１０と、導波管１２と、フレア板１４と、レドーム板１６と、支持部２６を含む。導波管１２は、導波路が形成された直方体状の形状を有する。また、導波管１２は、スロット面２０に、電波を放射すべきスロット１８が設けられる。
【００１９】
支持部２６は、導波管１２を埋設しながら支持する部材であって、フレア板１４と接続される。フレア板１４は、スロット１８から放射される電波の方向に向かって拡開し、アンテナ外板１０に接続される。拡開の程度が調節されることにより、スロット１８から放射される電波の指向性が調整される。レドーム板１６は、フレア板１４の開口部に設けられ、アンテナ外板１０に接続される。アンテナ外板１０は、導波管１２と、フレア板１４と、レドーム板１６と、支持部２６とを覆う外枠である。レドーム板１６の反射特性を調節することによっても、スロットアンテナ１００の指向性を調整できる。なお、レドーム板１６は、説明の便宜上、導波管１２、フレア板１４などを視認できるように図示したが、スロット面２０の正面から見て、導波管１２、フレア板１４が覆われるように構成されていてもよい。
【００２０】
図２（ｂ）は、図１のスロットアンテナ１００の導波面２２の正面図である。図示するごとく、支持部２６は、破線で示すように、導波管１２の導波面２２に平行した凹状の断面を有する。また、支持部２６には、その凹状の断面の窪み内の底辺を含む底面の一部に、対向面から導波管１２の一部が埋設される。ここで、「底面」とは、スロット面２０と平行した面であって、支持部２６の凹状の断面における窪み内の面をいう。
【００２１】
支持部２６と導波管１２との間には、２つの溝２４が形成される。この溝２４は、支持部２６の底面と、その底面と直角に接した導波管１２の２つの面、すなわち、Ｈ面と、その２つのＨ面のそれぞれに向かい合った当該支持部２６の両壁面とで形成される。このように、導波管１２のＨ面に接するように、溝２４を設けることによって、図３に図示するように、導波管１２の周囲に流れる電流を逃がすことができる。そうすると、垂直偏波成分の波源となる導波管１２の周囲に流れる電流が低減され、スロット面２０から放射される電波に含まれる垂直偏波成分を抑制できる。
【００２２】
図３は、図２（ａ）のスロットアンテナ１００における導波管１２の導波面２２を示す第１の正面図である。図示するように、導波管１２は、支持部２６との間に２つの溝２４が形成されるように、支持部２６の凹状の断面に埋設される。このような態様をとることにより、図１（ｃ）に図示するような導波管１２の周囲に流れる電流Ｉ１は、Ｈ面と支持部２６とが接する個所において方向を変え、溝２４を伝わるように流れる。
【００２３】
ここで、底面とスロット面２０との間の距離、すなわち、溝２４の断面のうちのＨ面の部分の奥行き寸法をｄとする。この奥行き寸法ｄを波長に比べて狭く、たとえば、１／６〜１／４波長程度とすることによって、水平偏波成分に対してはカットオフ効果が働くこととなる。そのため、水平偏波成分に対しては、この溝２４により、影響が与えられることはない。水平偏波に関しては図中に示すように溝２４に流れ込む電流により電波が励振され溝２４自体がホーンアンテナとして働く。よってアンテナの垂直方向の指向性はホーンアンテナから放射される電波とスロット開口面より放射される電波が重畳されたものとなる。この２つの電波が同振幅、逆位相となるように、溝２４の幅ｗと奥行き寸法ｄを調節することで、垂直偏波成分を抑圧することが可能となる。具体的には、溝２４からの放射振幅の調節を行うには、溝２４の幅ｗを調節することで可能となり、位相の調節を行うには溝２４の奥行き寸法ｄを調節することで可能となる。ここで、溝２４の幅ｗとは、導波管１２の２つのＨ面と、それぞれのＨ面と向かいあった支持部２６の壁面との間の距離をいう。また、溝２４の奥行き寸法ｄとは、支持部２６の底面とスロット面２０との間の距離をいう。
【００２４】
図４は、図２（ａ）のスロットアンテナ１００における導波管１２の導波面２２を示す第２の正面図である。
【００２５】
図４においては、スロット面２０から垂直偏波成分Ｅ１が放射される。また、支持部２６の底面、すなわち、２つの溝２４の開口面のそれぞれから垂直偏波成分Ｅ２ＡとＥ２Ｂが放射されることとなる。ここで、前述したように、導波管１２から放射される電波の垂直偏波成分を打ち消し合うように、溝２４の奥行き寸法ｄと幅ｗとを調節することによって、垂直偏波成分を抑制できる。いいかえると、図４において、Ｅ１とＥ２ＡとＥ２Ｂを次式の関係とし、互いに打ち消し合わせることによって、垂直偏波成分を抑制できることとなる。なお、Ａｍ｛Ｘ｝とは、Ｘの振幅成分を出力する関数を示す。また、Ｐｈ｛Ｙ｝とは、Ｙの位相成分を出力する関数を示す。
Ａｍ｛Ｅ１｝  ＝  Ａｍ｛Ｅ２Ａ｝  ＋  Ａｍ｛Ｅ２Ｂ｝  ・・・式（１）
Ｐｈ｛Ｅ１｝  ＝  −Ｐｈ｛Ｅ２Ａ｝  ＝  −Ｐｈ｛Ｅ２Ｂ｝  ・・・式（２）
【００２６】
ここで、式（１）、式（２）の左辺におけるＥ１のそれぞれの成分は、導波管１２が放射する電波の特性によって決定される。そのため、式（１）、式（２）は、右辺のＥ２Ａ、Ｅ２Ｂのそれぞれを調整することによって、満足させればよい。ここで、Ｅ２Ａ、Ｅ２Ｂの振幅は、支持部２６の底面に流れる電流の量に依存する。電流の量は、溝２４の幅ｗＡ、ｗＢに依存する。したがって、幅ｗＡ、ｗＢを調整することによって、式（１）を満足させればよい。また、Ｅ２Ａ、Ｅ２Ｂの位相は、溝２４の奥行き寸法ｄに依存する。したがって、奥行き寸法ｄを調整することによって、式（２）を満足させればよい。
【００２７】
式（１）、式（２）を満たす幅ｗＡ、ｗＢおよび奥行き寸法ｄの調整方法を解析的に導出することは困難であるため、幅ｗＡ、ｗＢおよび奥行き寸法ｄは、図１に示すスロットアンテナ１００における垂直偏波成分の抑圧効果を実験しながら、決める必要がある。
【００２８】
図５（ａ）、図５（ｂ）は、図２（ａ）のスロットアンテナ１００における垂直偏波成分の抑圧効果の実験結果を示すグラフである。横軸は、溝２４の奥行き寸法ｄを示す。また、縦軸は、垂直偏波成分の減衰量を示す。図５（ａ）は、溝２４の幅ｗを４ｍｍ〜６ｍｍに設定した場合の垂直偏波成分の減衰特性を示すグラフである。また、図５（ｂ）は、幅ｗを６．５ｍｍ〜８．５ｍｍに設定した場合における垂直偏波成分の減衰特性を示すグラフである。ここで、使用される電波の周波数は、おおむね９ＧＨｚとした。ここでは、設計条件を簡易にするため、幅ｗは、前述したｗＡとｗＢとの間で、以下の関係となるようにした。
ｗ  ＝  ｗＡ  ＝  ｗＢ  ・・・式（３）
【００２９】
この実験は、図５（ａ）、（ｂ）に示す実験結果から、垂直偏波成分の減衰量が３０ｄＢ以上となる幅ｗと奥行き寸法ｄの組み合わせを求めることを目的としている。そうすると、図示するように、垂直偏波成分の減衰量が３０ｄＢ以上減衰させるためには、概ね、幅ｗと奥行き寸法ｄを以下のような組み合わせとなるように、互いに調節することが望ましい。
（ｄ、ｗ）＝（５．５ｍｍ、７ｍｍ）  ・・・式（４）
（ｄ、ｗ）＝（５．７ｍｍ、６．５ｍｍ）  ・・・式（５）
（ｄ、ｗ）＝（５．７５ｍｍ、６ｍｍ）  ・・・式（６）
（ｄ、ｗ）＝（６ｍｍ、５．５ｍｍ）  ・・・式（７）
（ｄ、ｗ）＝（６．２５ｍｍ、５ｍｍ）  ・・・式（８）
（ｄ、ｗ）＝（６．５ｍｍ、４．５ｍｍ）  ・・・式（９）
（ｄ、ｗ）＝（６．７５ｍｍ、４ｍｍ）  ・・・式（１０）
【００３０】
本実施形態によれば、導波管１２と支持部２６の間に溝２４を形成し、溝２４のサイズを調整することによって、アンテナの質量や製造コストを抑えつつ、垂直偏波成分の発生を効率的に抑制できる。溝２４を設けることによって、導波管の周囲に発生する電流をその溝に逃がすことができる。垂直偏波成分の波源となる電流成分を逃がすことができるため、スロットから放射される電波に含まれる垂直偏波成分を低減できる。また、２つの溝から放射されるそれぞれの第２電波の電波特性のうちの振幅特性は、両壁面とそれぞれの壁面に向かい合った導波管の面との間の距離に依存するため、この距離を調節することによって、第２電波の振幅特性を調整できる。また、第２電波の電波特性のうちの位相特性は、底面とスロットが設けられた面との間の距離に依存するため、この距離を調節することによって、第２電波の位相特性を調整できる。また、第２電波の振幅と位相を第１電波のうちの垂直偏波成分を打ち消すような特性に調整することによって、第１電波のうちの垂直偏波成分を抑制できる。
【００３１】
また、支持部２６の両壁面とそれぞれの壁面に向かい合った導波管の面との間の幅を同一の幅ｗに調節することによって、設計を容易にできる。また、溝２４の幅ｗと、チョーク溝２４の奥行き寸法ｄとの互いの関係を調節することによって、垂直偏波成分を効率的に抑制できる。
【００３２】
（実施形態２）
本発明の実施形態２は、実施形態１２と同様にスロットアンテナに関する。なお、前述した実施形態１と共通する構成については同一の符号を付して説明を簡略化する。本実施形態２のスロットアンテナは、図２（ａ）、（ｂ）と同様の構成をとる。
【００３３】
図２（ｂ）に図示するように、実施形態２のスロットアンテナにおいては、支持部２６と導波管１２との間に、２つの溝２４が形成される。この溝２４は、支持部２６の底面と、その底面と直角に接した導波管１２の２つの面、すなわち、Ｈ面と、その２つのＨ面のそれぞれに向かい合った当該支持部２６の両壁面とで形成される。このように、導波管１２のＨ面に接するように、溝２４を設けることによって、図３に図示するように、導波管１２の周囲に流れる電流を逃がすことができる。そうすると、垂直偏波成分の波源となる導波管１２の周囲に流れる電流が低減され、スロット面２０から放射される電波に含まれる垂直偏波成分を抑制できる。
【００３４】
本実施形態２においては、低減された垂直偏波成分の波源となる導波管１２の周囲に流れる電流のうち、溝２４の支持部２６の底面のうちの両壁面とそれぞれの壁面に向かい合った導波管１２のＨ面との間の距離を調整することによって、溝２４の内部において電流を流れないようにする。そのため、導波管１２から放射される電波に含まれる垂直偏波成分をさらに抑制できる。
【００３５】
図６は、本発明の実施形態２にかかるスロットアンテナにおける導波管の導波面を示す正面図である。
【００３６】
ここで、底面とスロット面２０との間の距離、すなわち、溝２４の断面のうちのＨ面の部分の奥行き寸法をｄとする。この奥行き寸法ｄを電波の波長の１／４にすることによって、溝の開口面におけるインピーダンスは、無限大となる。そうすると、スロット面２０上を流れ、垂直偏波成分の波源となりうる電流は、溝の内側へは流れ込まず、また、溝の外側へも電流が流れない構造となる。いいかえると、奥行き寸法ｄを電波の波長λの１／４にすることによって、この溝２４は、チョークとしての機能を有するといえる。すなわち、垂直偏波成分の波源となりうる電流は、スロット面２０にのみ存在する状態となり、導波管１２から放射される電波に含まれる垂直偏波成分をさらに抑制できることとなる。
【００３７】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００３８】
なお、上述した実施形態１と２は組み合わせることができることは当業者にとって理解されるところである。この場合、奥行き寸法ｄを波長の１／４に設定し、その奥行き寸法ｄと組み合わせるべき幅ｗを実験等によって求めればよい。この態様により、さらに、垂直偏波線分を抑制できることは言うまでもない。
【図面の簡単な説明】
【００３９】
【図１】図１（ａ）は、導波管の構成例を示す斜視図である。図１（ｂ）は、図１（ａ）の導波管のスロット面の一部を示す断面図である。図１（ｃ）は、図１（ａ）の導波管の導波面を示す断面図である。
【図２】図２（ａ）は、本発明の実施形態１にかかるスロットアンテナの構成例を示す斜視図である。図２（ｂ）は、図１のスロットアンテナの導波面の正面図である。
【図３】図２（ａ）のスロットアンテナにおける導波管の導波面を示す第１の正面図である。
【図４】図２（ａ）のスロットアンテナにおける導波管の導波面を示す第２の正面図である。
【図５】図５（ａ）、図５（ｂ）は、図２（ａ）のスロットアンテナにおける垂直偏波成分の抑圧効果の実験結果を示すグラフである。
【図６】本発明の実施形態２にかかるスロットアンテナにおける導波管の導波面を示す正面図である。
【符号の説明】
【００４０】
１０  アンテナ外板、  １２  導波管、  １４  フレア板、  １６  レドーム板、  １８  スロット、  ２０  スロット面、  ２２  導波面、  ２４  溝、  ２６  支持部、  １００  スロットアンテナ。
【図１】
2007228435.tif 000003
【図２】
2007228435.tif 000004
【図３】
2007228435.tif 000005
【図４】
2007228435.tif 000006
【図５】
2007228435.tif 000007
【図６】
2007228435.tif 000008